(57)【要約】  【課題】  永久磁石を回転子鉄心に固定する際の位置決めが容易にでき、且つ前記永久磁石を回転子鉄心に固定する方法が簡単で作業性に優れている永久磁石式回転電機を提供する。  【解決手段】  磁極を構成する多数の永久磁石３が回転子鉄心周方向に一定の間隔で隣接し、これらの永久磁石３は回転子鉄心外周面２ａに沿った形状で、且つ永久磁石側面の回転子鉄心周方向に凹部分３ｇの幅が凸部分３ｈの幅に比べて広い凹凸を形成している。また、マグネットカバー４は永久磁石３の外形とほぼ相似形状で、且つ回転子鉄心外周面２ａ側が開口した開口部が形成されて永久磁石に被せて全体を覆い、マグネットカバーに嵌装した永久磁石を回転子鉄心外周面２ａに固定する。永久磁石３とマグネットカバー４は、回転子鉄心周方向に凹凸を形成しているので、周方向に隣接したマグネットカバー４と嵌合した状態で回転子鉄心軸方向にスライドすることが可能である。  【選択図】  図１
2005160272.tif 000002
【特許請求の範囲】
【請求項１】
回転子鉄心外周面の周方向に複数個の永久磁石を隣接させて配設するインナーロータ型の永久磁石式回転電機において、
回転子鉄心に配設される各永久磁石側面にそれぞれ凹凸部を形成し、この凹凸部の凹部分の幅を凸部分の幅に比べて広く形成すると共に、前記永久磁石の外形とほぼ相似形状に形成されたマグネットカバーを設け、このマグネットカバーを永久磁石に被せて永久磁石を覆い、相隣接する永久磁石間において、それぞれ前記凹凸部が嵌合し合うように前記回転子鉄心に配設することを特徴とする永久磁石式回転電機。
【請求項２】
回転子鉄心内周面の周方向に複数個の永久磁石を隣接させて配設するアウターロータ型の永久磁石式回転電機において、
回転子鉄心に配設される各永久磁石側面にそれぞれ凹凸部を形成し、この凹凸部の凹部分の幅を凸部分の幅に比べて広く形成すると共に、前記永久磁石の外形とほぼ相似形状に形成されたマグネットカバーを設け、このマグネットカバーを永久磁石に被せて永久磁石を覆い、相隣接する永久磁石間において、それぞれ前記凹凸部が嵌合し合うように前記回転子鉄心に配設することを特徴とする永久磁石式回転電機。
【請求項３】
請求項１または２に記載のインナーロータ型永久磁石式回転電機またはアウターロータ型永久磁石式回転電機において、
回転子鉄心に配設される各永久磁石側面にそれぞれ凹凸部を形成し、この凹凸部の凹部分の幅を凸部分の幅に比べて広く形成すると共に、前記永久磁石の外形とほぼ相似形状に形成されたマグネットカバーを設け、このマグネットカバーを永久磁石に被せて永久磁石を覆い、相隣接する永久磁石間において、それぞれ前記凹凸部が嵌合し合うように前記回転子鉄心に配設すると共に、マグネットカバーに嵌装された永久磁石を回転子鉄心外周面または内周面に固定した後に、当該マグネットカバーを永久磁石から取り外しできることを特徴とする永久磁石式回転電機。
【請求項４】
回転子鉄心外周面の周方向に複数個の永久磁石を隣接させて配設するインナーロータ型の永久磁石式回転電機において、
回転子鉄心に配設される各永久磁石側面にそれぞれ凹凸部を形成し、この凹凸部の凹部分の幅を凸部分の幅に比べて広く形成すると共に、前記永久磁石の外形とほぼ相似形状に形成されたマグネットカバーを設け、このマグネットカバーを永久磁石に被せて永久磁石を覆い、相隣接する永久磁石間において、それぞれ前記凹凸部が嵌合し合うように前記回転子鉄心に配設すると共に、マグネットカバーに嵌装した永久磁石を回転子鉄心外周面に固定するときに回転子鉄心軸方向にスライド可能としたことを特徴とする永久磁石式回転電機の永久磁石位置決め方法。
【請求項５】
回転子鉄心内周面の周方向に複数個の永久磁石を隣接させて配設するアウターロータ型の永久磁石式回転電機において、
回転子鉄心に配設される各永久磁石側面にそれぞれ凹凸部を形成し、この凹凸部の凹部分の幅を凸部分の幅に比べて広く形成すると共に、前記永久磁石の外形とほぼ相似形状に形成されたマグネットカバーを設け、このマグネットカバーを永久磁石に被せて永久磁石を覆い、相隣接する永久磁石間において、それぞれ前記凹凸部が嵌合し合うように前記回転子鉄心に配設すると共に、マグネットカバーに嵌装した永久磁石を回転子鉄心内周面に固定するときに回転子鉄心軸方向にスライド可能としたことを特徴とする永久磁石式回転電機の永久磁石位置決め方法。
【発明の詳細な説明】
【技術分野】
【０００１】
本発明は永久磁石式回転電機に関し、具体的には永久磁石式回転電機における永久磁石の固定構造と位置決め方法に関するものである。
【背景技術】
【０００２】
永久磁石式回転電機は回転子鉄心に永久磁石を固定する必要がある。インナーロータ型の永久磁石式回転電機では、回転子鉄心に永久磁石の外形とほぼ相似形状で、且つ回転子鉄心外周面側が開口したマグネットカバーを永久磁石に被せて永磁石全体を覆い、このマグネットカバーとともに永久磁石を回転子鉄心外周面に固定している。また、アウターロータ型の永久磁石式回転電機では、回転子鉄心に永久磁石の外形とほぼ相似形状で、且つ回転子鉄心内周面側が開口したマグネットカバーを永久磁石に被せて永久磁石全体を覆い、このマグネットカバーとともに永久磁石を回転子鉄心内周面に固定をしている。
上記のインナーロータ型の永久磁石式回転電機および、アウターロータ型の永久磁石式回転電機では、永久磁石を回転子鉄心に固定する方法としては特許文献１のようなものが知られている。
この文献のものは、
（１）マグネットカバー開口部から永久磁石を嵌装する時に、マグネットカバーと永久磁石が接する部分に接着剤を塗布して永久磁石をマグネットカバーに接着する。その後に回転子鉄心周方向に位置決めしながらマグネットカバーとともに接着した永久磁石を回転子鉄心に固定する。
（２）マグネットカバー開口部に永久磁石を嵌装し固定しない状態で、永久磁石を回転子鉄心周方向に位置決めしながらマグネットカバーとともに嵌装された永久磁石を回転子鉄心に固定するものである。
【特許文献１】特開２００３−３２９２９号公報
【発明の開示】
【発明が解決しようとする課題】
【０００３】
上記特許文献１のものは、永久磁石の飛散を防止でき、且つ永久磁石の固定構造が簡単で、組立作業性に優れた利点などは有するが次のような問題がある。
（１）永久磁石をマグネットカバーに嵌装し接着した後に回転子鉄心周方向に位置決めしながら固定する方法では、永久磁石を回転子鉄心に固定する前にマグネットカバーと永久磁石が接する部分にあらかじめ接着剤を塗布することや接着剤塗布後にマグネットカバーと永久磁石を接着する必要があり、永久磁石を回転子鉄心に固定する際の作業工程が多く煩雑である。
（２）永久磁石をマグネットカバーに嵌装し固定しない状態で回転子鉄心周方向に位置決めしながら固定する方法では、永久磁石を固定する位置の確認と永久磁石がマグネットカバーから脱落することが無いように注意しながら永久磁石を回転子鉄心に固定する必要があり、永久磁石を回転子鉄心に固定することが容易ではない。また、永久磁石式回転電機の性能向上を目的とした高磁力磁石を採用することにより、永久磁石がマグネットカバーから脱落した時に回転子鉄心や周方向に隣接する他の永久磁石に張り付いた場合に永久磁石の移動や剥がすことが容易ではなく、回転子鉄心や永久磁石を傷付けることまたは破損させてしまうことがある。
【０００４】
この発明は、上記の事情に鑑みなされたもので、永久磁石式回転電機の永久磁石を回転子鉄心に固定する方法が簡単でより作業性に優れ、且つ回転子鉄心に永久磁石を固定する際の位置決めが容易にできる永久磁石式回転電機と永久磁石の位置決め方法を提供することを目的とする。
【課題を解決するための手段】
【０００５】
上記の課題を解決する第1発明の永久磁石式回転電機は、回転子鉄心外周面に永久磁石を配設したインナーロータ型永久磁石式回転電機の永久磁石側面の回転子鉄心周方向に凹凸を形成し、永久磁石の外形とほぼ相似形状で回転子鉄心外周面側が開口したマグネットカバーを永久磁石に被せて永久磁石全体を覆い、且つ永久磁石側面とマグネットカバー側面の回転子鉄心周方向において、凹部分の幅が凸部分の幅に比べて広く、周方向に隣接したマグネットカバーと嵌合した構造を特徴とする。
【０００６】
第２発明の永久磁石式回転電機は、回転子鉄心内周面に永久磁石を配設したアウターロータ型永久磁石式回転電機の永久磁石側面の回転子鉄心周方向に凹凸を形成し、永久磁石の外形とほぼ相似形状で回転子鉄心内周面側が開口したマグネットカバーを永久磁石に被せて永久磁石全体を覆い、且つ永久磁石側面とマグネットカバー側面の回転子鉄心周方向において、凹部分の幅が凸部分の幅に比べて広く、周方向に隣接したマグネットカバーと嵌合した構造を特徴とする。
【０００７】
第３発明の永久磁石式回転電機は、回転子鉄心外周面または内周面に永久磁石を配設したインナーロータ型またはアウターロータ型永久磁石式回転電機の永久磁石側面の回転子鉄心周方向に凹凸を形成し、永久磁石の外形とほぼ相似形状で回転子鉄心外周面側または内周面側が開口したマグネットカバーを永久磁石に被せて永久磁石全体を覆い、且つ永久磁石側面とマグネットカバー側面の回転子鉄心周方向において、凹部分の幅が凸部分の幅に比べて広く、周方向に隣接したマグネットカバーと嵌合し、マグネットカバーに嵌装した永久磁石を回転子鉄心外周面または内周面に固定した後に、当該マグネットカバーを永久磁石から取り外したことを特徴とする。
【０００８】
第４発明の永久磁石式回転電機は、回転子鉄心外周面に永久磁石を配設したインナーロータ型永久磁石式回転電機の永久磁石側面の回転子鉄心周方向に凹凸を形成し、永久磁石の外形とほぼ相似形状で回転子鉄心外周面側が開口したマグネットカバーを永久磁石に被せて永久磁石全体を覆い、且つ永久磁石側面とマグネットカバー側面の回転子鉄心周方向において、凹部分の幅が凸部分の幅に比べて広く、周方向に隣接したマグネットカバーと嵌合した状態で永久磁石とマグネットカバーが回転子鉄心軸方向にスライド可能で、さらにマグネットカバーに嵌装した永久磁石を回転子鉄心外周面に固定する際、位置決めが容易にできることを特徴とする。
【０００９】
第５発明の永久磁石式回転電機は、回転子鉄心内周面に永久磁石を配設したアウターロータ型永久磁石式回転電機の永久磁石側面の回転子鉄心周方向に凹凸を形成し、永久磁石の外形とほぼ相似形状で回転子鉄心内周面側が開口したマグネットカバーを永久磁石に被せて永久磁石全体を覆い、且つ永久磁石側面とマグネットカバー側面の回転子鉄心周方向において、凹部分の幅が凸部分の幅に比べて広く、周方向に隣接したマグネットカバーと嵌合した状態で永久磁石とマグネットカバーが回転子鉄心軸方向にスライド可能で、さらにマグネットカバーに嵌装した永久磁石を回転子鉄心内周面に固定する際、位置決めが容易にできることを特徴とする。
【発明の効果】
【００１０】
以上述べたように、本発明の永久磁石式回転電機によれば、永久磁石側面とマグネットカバー側面の回転子鉄心周方向に凹凸を形成し、且つ凹部分の幅が凸部分の幅に比べて広く、周方向に隣接したマグネットカバーと嵌合した状態で永久磁石とマグネットカバーが回転子鉄心軸方向にスライド可能なため、永久磁石を回転子鉄心に固定する際の回転子鉄心周方向の位置決めが容易であり、永久磁石とマグネットカバーを接着することなく永久磁石の脱落を低減しつつ永久磁石を回転子鉄心に固定することが出来る。従って回転子鉄心や永久磁石を傷付けることや破損することを防止できる。
【発明を実施するための最良の形態】
【００１１】
以下この発明の実施の形態を図面に基づいて説明する。
〈実施の形態１〉図１（ａ）は本発明の実施形態１に係る永久磁石式回転電機の回転子の側面図（回転子鉄心の軸方向からみた図）、図１（ｂ）は図１（ａ）の永久磁石式回転電機に備えたマグネットカバー及び永久磁石を示す図１（ａ）のＡ方向矢視図で、図１（ｃ）は図１（ａ）の永久磁石式回転電機に備えたマグネットカバー及び永久磁石を示す図１（ａ）のＢ方向矢視図である。また、図２は前記マグネットカバー及び永久磁石を回転子鉄心に取り付ける手順を示す説明図である。図３（ａ）は永久磁石を嵌装したマグネットカバーが隣接している時にマグネットカバーを回転子鉄心に固定した状態を示すＣ方向視野図である。図３（ｂ）は図３（ａ）の状態から回転子鉄心軸方向にスライドさせた状態を示すＤ方向矢視図である。
【００１２】
図１に示す永久磁石式回転電機はインナーロータ型のものであり、回転子１は図示しない固定子の内側に設けられている。回転子鉄心２の外周面２ａには、磁極を構成する多数の永久磁石３が回転子鉄心周方向に一定の間隔で隣接して配設されている。永久磁石３は回転子鉄心外周面２ａに沿った円弧状に形成され、且つ永久磁石３側面の回転子鉄心周方向に任意数の凹凸部が形成されている。この凹凸部の凹部３ｇは、その幅が凸部３ｈの幅に比べて広い幅で形成され、これらの永久磁石３に対してそれぞれマグネットカバー４が被せられる。
【００１３】
マグネットカバー４は永久磁石３の外形に沿ったほぼ相似形状で、回転子鉄心周方向の側面には凹部４ｇと凸部４ｈが形成され、且つ回転子鉄心外周面側が開口した取り付け用の開口部４ａが形成されている。前記、側面凹部４ｇと周方向に隣接するマグネットカバー４の側面凸部４ｈが嵌合し、これらの凹凸部は側面凹部４ｇの幅が凸部４ｈに比べて広く、周方向に隣接したマグネットカバーと嵌合した状態で回転子鉄心軸方向にスライド可能な構造となっている（図３（ａ），図３（ｂ））。なお、先に永久磁石のみを回転子鉄心に仮取り付けし、続いて永久磁石にマグネットカバーを被せて、その後にマグネットカバーとともに永久磁石をスライドさせながら位置決めをして固定しても良い。このマグネットカバー４の回転子鉄心軸方向において、一方の側面４ｆには２つの第１突起部４ｂが設けられている。これら２つの第１突起部４ｂは略半円柱状に形成されており、マグネットカバー４の回転子鉄心周方向の両端部にそれぞれ位置している。また、マグネットカバー４の回転子鉄心軸方向において、他方の側面４ｃには、開口側を回転子鉄心径方向に沿って延設した延長部４ｅを有し、この延設部４ｅの内面に２つの第２突起部４ｄが設けられている。これらの第２突起部４ｄも略半円柱状に形成されており、マグネットカバー４の回転子鉄心周方向の両端部に位置している。
【００１４】
一方、回転子鉄心２は一方の軸方向端部２ｆの外径が、その他の部分の回転子鉄心の外径よりも大きく、この軸方向端部２ｆの内側端面２ｆ−１に第１嵌合孔２ｂが設けられている（図２参照）。また、回転子鉄心２の他方の軸方向端面２ｃには、第２嵌合孔２ｄが設けられている（図２参照）。さらにそれそれの第１嵌合孔２ｂ及び第２嵌合孔２ｄは、回転子鉄心の周方向に隣接する永久磁石３の間に位置している。
【００１５】
そして、マグネットカバー４の第１突起部４ｂは回転子鉄心２の第１嵌合孔２ｂに嵌合し、マグネットカバー４の第２突起部４ｄは回転子鉄心２の第２嵌合孔２ｄに嵌合する。このときに周方向に隣接するマグネットカバー４は、それぞれの第１突起部４ｂと第２突起部４ｄが１つの第１嵌合孔２ｂと第２嵌合孔２ｄにそれぞれ嵌合して、１つの第１嵌合孔２ｂ及び第２嵌合孔２ｄを共用する。なお、図１（ｂ）及び図１（ｃ）は、説明の便宜上のために２つの隣接するマグネットカバー４の間を開けて図示している。
【００１６】
図２に基づいてマグネットカバー４及び永久磁石３の取付手順を説明すると、最初に図２（ａ）に示すように永久磁石３をマグネットカバー４内に嵌装し、この状態でマグネットカバー４を回転子鉄心２の外周面に沿って軸方向にスライドさせる。そして、図２（ｂ）に示すようにマグネットカバー４の第１突起部４ｂを回転子鉄心２の第１嵌合孔２ｂに嵌合し、さらに図２（ｃ）に示すようにマグネットカバー４の第２突起部４ｄを回転子鉄心２の第２嵌合孔２ｄにボタンのように押し込んで嵌合する。
【００１７】
その結果、図２（ｄ）に示すように永久磁石３がマグネットカバー４とともに回転子鉄心２に固定される。なお、このときに永久磁石３は回転子鉄心２の外周面に形成された凹部２ｅに嵌まり込んで回転子鉄心軸方向の位置が規制されるようになっている。
【００１８】
従って、本実施の形態１の永久磁石式回転電機によれば、先行出願した特許文献の特開２００３−３２９２９号公報の実施の形態５と同様の効果を有する他に次のような効果が得られる。
【００１９】
本実施の形態１のマグネットカバー４によれば、側面凹部４ｇと凸部４ｈによって回転子鉄心周方向の位置決めが容易に出来ることで、永久磁石をマグネットカバーに嵌装する以外に前処理行程の必要が無く、且つ永久磁石の脱落を低減した永久磁石の回転子鉄心の固定が実現出来る。
【００２０】
なお、永久磁石式回転電機として、当該マグネットカバーを不要とする時には、そのマグネットカバーを取り外して使用しても良いことは勿論である。その場合においても永久磁石の位置決めが容易であることや永久磁石の脱落を低減できる効果が得られる。
〈実施の形態２〉図４（ａ）は本発明の実施形態２に係る永久磁石式回転電機の回転子の側面図（回転子鉄心の軸方向からみた図）、図４（ｂ）は図４（ａ）の永久磁石式回転電機に備えたマグネットカバー及び永久磁石を示す図４（ａ）のＥ方向矢視図で、図４（ｃ）は図４（ａ）の永久磁石式回転電機に備えたマグネットカバー及び永久磁石を示す図４（ａ）のＦ方向矢視図である。また、図５は前記マグネットカバー及び永久磁石を回転子鉄心に取り付ける手順を示す説明図である。図６（ａ）は永久磁石を嵌装したマグネットカバーが隣接している時のマグネットカバーを回転子鉄心に固定した状態を示すＧ方向視野図である。図６（ｂ）は図６（ａ）の状態から回転子鉄心軸方向にスライドさせた状態を示すＨ方向矢視図である。
【００２１】
図４に示す永久磁石式回転電機はアウターロータ型のものであり、回転子１１は図示しない固定子の外側に設けられている。回転子鉄心１２の内周面１２ａには、磁極を構成する多数の永久磁石１３が回転子鉄心周方向に一定の間隔で近接して配設されている。永久磁石１３は回転子鉄心内周面１２ａに沿った円弧状で、且つ永久磁石１３側面の回転子鉄心周方向に任意数の凹凸部が形成されている。この凹凸部の凹部１３ｇは、その幅が凸部１３ｈの幅に比べて広い幅で形成され、これらの永久磁石１３に対してそれぞれマグネットカバー１４が被せられる。
【００２２】
マグネットカバー１４は永久磁石１３の外形に沿ったほぼ相似形状で、回転子鉄心周方向の側面には凹部１４ｇと凸部１４ｈが形成され、且つ回転子鉄心内周面側が開口した取り付け用の開口部１４ａが形成されている。前記、側面凹部１４ｇと周方向に隣接するマグネットカバー１４の凸部１４ｈと嵌合し、これらの凹凸部は側面凹部１４ｇの幅が凸部１４ｈに比べて広く、周方向に隣接したマグネットカバーと嵌合した状態で回転子鉄心軸方向にスライド可能な構造になっている（図６（ａ），図６（ｂ））。なお、先に永久磁石のみを回転子鉄心に仮取り付けし、続いて永久磁石にマグネットカバーを被せて、その後にマグネットカバーとともに永久磁石をスライドさせながら位置決めをして固定しても良い。このマグネットカバー１４の回転子鉄心軸方向において、一方の側面１４ｆには２つの第１突起部１４ｂが設けられている。これら２つの第１突起部１４ｂは略半円柱状に形成されており、マグネットカバー１４の回転子鉄心周方向の両端部にそれぞれ位置している。また、マグネットカバー１４の回転子鉄心軸方向において、他方の側面１４ｃには、開口側を回転子鉄心径方向に沿って延設した延長部１４ｅを有し、この延設部１４ｅの内面に２つの第２突起部１４ｄが設けられている。これらの第２突起部１４ｄも略半円柱状に形成されており、マグネットカバー１４の回転子鉄心周方向の両端部に位置している。
【００２３】
一方、回転子鉄心１２は一方の軸方向端部１２ｆの内径が、その他の部分の回転子鉄心の内径よりも小さく、この軸方向端部１２ｆの内側端面１２ｆ−１に第１嵌合孔１２ｂが設けられている（図５参照）。また、回転子鉄心１２の他方の軸方向端面１２ｃには、第２嵌合孔１２ｄが設けられている（図５参照）。さらにそれそれの第１嵌合孔１２ｂ及び第２嵌合孔１２ｄは、回転子鉄心の周方向に隣接する永久磁石１３の間に位置している。
【００２４】
そして、マグネットカバー１４の第１突起部１４ｂは回転子鉄心１２の第１嵌合孔１２ｂに嵌合し、マグネットカバー１４の第２突起部１４ｄは回転子鉄心１２の第２嵌合孔１２ｄに嵌合する。このときに周方向に隣接するマグネットカバー１４は、それぞれの第１突起部１４ｂと第２突起部１４ｄが１つの第１嵌合孔１２ｂと第２嵌合孔１２ｄにそれぞれ嵌合して、１つの第１嵌合孔１２ｂ及び第２嵌合孔１２ｄを共用する。なお、図４（ｂ）及び図４（ｃ）は、説明の便宜上のために２つの隣接するマグネットカバー１４の間を開けて図示している。
【００２５】
図５に基づいてマグネットカバー１４及び永久磁石１３の取付手順を説明すると、最初に図５（ａ）に示すように永久磁石１３をマグネットカバー１４内に嵌装し、この状態でマグネットカバー１４を回転子鉄心１２の内周面に沿って軸方向にスライドさせる。そして、図５（ｂ）に示すようにマグネットカバー１４の第１突起部１４ｂを回転子鉄心１２の第１嵌合孔１２ｂに嵌合し、さらに図５（ｃ）に示すようにマグネットカバー１４の第２突起部１４ｄを回転子鉄心１２の第２嵌合孔１２ｄにボタンのように押し込んで嵌合する。
【００２６】
その結果、図５（ｄ）に示すように永久磁石１３がマグネットカバー１４とともに回転子鉄心１２に固定される。なお、このときに永久磁石１３は回転子鉄心１２の内周面に形成された凹部１２ｅに嵌まり込んで回転子鉄心軸方向の位置が規制されるようになっている。
【００２７】
従って、本実施の形態２の永久磁石式回転電機によれば、先行出願した特許文献の特開２００３−３２９２９号公報の実施の形態１１と同様の効果を有する他に次のような効果が得られる。
【００２８】
本実施の形態２のマグネットカバー１４によれば、側面凹部１４ｇと凸部１４ｈによって回転子鉄心周方向の位置決めが容易に出来ることで、永久磁石をマグネットカバーに嵌装する以外に前処理行程の必要が無く、且つ永久磁石の脱落を低減した永久磁石の回転子鉄心の固定が実現出来る。
【００２９】
なお、永久磁石式回転電機として、当該マグネットカバーを不要とする時には、そのマグネットカバーを取り外して使用しても良いことは勿論である。その場合においても永久磁石の位置決めが容易であることや永久磁石の脱落を低減できる効果が得られる。
【図面の簡単な説明】
【００３０】
【図１】本発明の実施の形態１に係わる永久磁石式回転電機の回転子の部分図で（ａ）は断面図、（ｂ）はＡ方向矢視図、（ｃ）はＢ方向矢視図。
【図２】マグネットカバー及び永久磁石の取り付け手順を示す説明図。
【図３】（ａ）は隣接したマグネットカバー及び永久磁石を回転子鉄心に固定した状態を示すＣ方向矢視図、（ｂ）はスライドさせた状態を示すＤ方向矢視図。
【図４】本発明の実施の形態２に係わる永久磁石式回転電機の回転子の部分図で（ａ）は断面図、（ｂ）はＥ方向矢視図、（ｃ）はＦ方向矢視図。
【図５】マグネットカバー及び永久磁石の取り付け手順を示す説明図。
【図６】（ａ）は隣接したマグネットカバー及び永久磁石を回転子鉄心に固定した状態を示すＧ方向矢視図、（ｂ）はスライドさせた状態を示すＨ方向矢視図。
【符号の説明】
【００３１】
１・・・回転子
２・・・回転子鉄心
２ａ・・・回転子鉄心外周面
２ｂ・・・第１嵌合孔
２ｃ・・・回転子鉄心端面
２ｄ・・・第２嵌合孔
２ｅ・・・凹部
２ｆ・・・軸方向端部
２ｆ―１・・・端面
３・・・永久磁石
３ｇ・・・永久磁石側面凹部
３ｈ・・・永久磁石側面凸部
４・・・マグネットカバー
４ａ・・・開口部
４ｂ・・・第１突起部
４ｃ・・・マグネットカバー側面
４ｄ・・・第２突起部
４ｅ・・・延設部
４ｆ・・・マグネットカバー側面
４ｇ・・・マグネットカバー側面凹部
４ｈ・・・マグネットカバー側面凸部
１１・・・回転子
１２・・・回転子鉄心
１２ａ・・・回転子鉄心内周面
１２ｂ・・・第１嵌合孔
１２ｃ・・・回転子鉄心端面
１２ｄ・・・第２嵌合孔
１２ｅ・・・凹部
１２ｆ・・・軸方向端部
１２ｆ―１・・・端面
１３・・・永久磁石
１３ｇ・・・永久磁石側面凹部
１３ｈ・・・永久磁石側面凸部
１４・・・マグネットカバー
１４ａ・・・開口部
１４ｂ・・・第１突起部
１４ｃ・・・マグネットカバー側面
１４ｄ・・・第２突起部
１４ｅ・・・延設部
１４ｆ・・・マグネットカバー側面
１４ｇ・・・マグネットカバー側面凹部
１４ｈ・・・マグネットカバー側面凸部
【図１】
2005160272.tif 000003
【図２】
2005160272.tif 000004
【図３】
2005160272.tif 000005
【図４】
2005160272.tif 000006
【図５】
2005160272.tif 000007
【図６】
2005160272.tif 000008